(57)【要約】【課題】ユーザの危険な行為を未然に防ぐことのできる返し具及び、遊具装置の提供。【解決手段】本発明の遊具装置用返し具１００は、無端枠体１１０と、連結部材１２０と、弾性シート１３０とを備える。連結部材１２０は無端枠体１１０に掛け渡され、弾性シート１３０が無端枠体１１０に張り渡される。そして、遊具装置用返し具１００が、連結部材１２０により遊具装置上部に連結されることを特徴とする。【選択図】図１
2012100740.tif 000002
【特許請求の範囲】
【請求項１】
無端枠体と、
前記無端枠体に掛け渡された連結部材と、
当該無端枠体に張り渡される弾性シートとを備え、
前記連結部材により遊具装置上部に連結されることを特徴とする遊具装置用返し具。
【請求項２】
前記無端枠体周囲に、垂れ幕を垂下した、請求項１に記載の遊具装置用返し具。
【請求項３】
前記無端枠体がリング形状である請求項１に記載の遊具装置用返し具。
【請求項４】
前記無端枠体に張り渡される弾性シートの一部をメッシュで形成した請求項１に記載の遊具装置用返し具。
【請求項５】
遊具装置上部の外径より広い外径を備えた請求項１から４いずれか一項に記載の遊具装置用返し具を当該遊具装置上部に備えた遊具装置。
【発明の詳細な説明】
【技術分野】
【０００１】
本発明は、遊具装置に備えられる部材に関し、特に遊具用返し具や、これを用いた遊具装置である。
【背景技術】
【０００２】
現在、ユーザ（幼児や年少の子供を想定している）が登り降り可能な遊具が、公園や遊園地等に設置されている。上記遊具は平衡感覚を高める遊具として、保護者にも人気がある。例えば、下記特許文献１には、従来の登り降り可能な遊具が開示されている。
【先行技術文献】
【特許文献】
【０００３】
【特許文献１】特開平１１−３３１３７号公報
【発明の概要】
【発明が解決しようとする課題】
【０００４】
上記特許文献に開示の技術のように、登り降り可能な遊具は、子供やその保護者に人気がある。上記のような遊具を設置する場合、遊具下方に柔らかい部材のマットや、ネット等を配置することが多い。ユーザが上記遊具から落下しても、上記マットやネットがユーザにかかる衝撃を緩和し、怪我を効果的に防止するからである。
しかしながら、上記遊具を提供するメーカが予想しない遊戯を上記子供等のユーザがすることが多い。遊具の上部に起立することも上記予想しない遊戯の一つである。登り降り可能な従来の遊具は、遊具上部に関する危険防止のための構成が採用されていなかった。もちろん屋根を備えた遊具は存在するが、この場合の屋根は、装飾のためや、雨風を防ぐためのものであった。本発明の目的は、室内遊園地等で設置される遊具装置で使用される返し具、及びこれを用いた遊具装置であって、簡単な構成でユーザに対する危険を防止する遊具装置を提供することにある。
【課題を解決するための手段】
【０００５】
上記課題を達成するための本発明は、遊具装置用返し具である。そして本発明の遊具装置用返し具は、無端枠体と、連結部材と、弾性シートとを備える。連結部材は無端枠体に掛け渡され、弾性シートが無端枠体に張り渡される。そして、遊具装置用返し具が、連結部材により遊具装置上部に連結されることを特徴とする。上記の構成を採用することにより、上記返し具により天井を形成することができる。そして、遊具装置上部に登るユーザに対し、これ以上登ることはできないという心理的抵抗を与えることができる。
【０００６】
上記の構成において、無端枠体周囲に、垂れ幕を垂下することで、ユーザが、遊具装置上部に登ったとしても、垂れ幕によりそれ以上の高さに登ることを防止することができる。すなわち、上部に登ったユーザが垂れ幕に掴まることで、ユーザにこれ以上登ることができないと強く思わせることが可能となる。無端枠体の形状は設置する遊具装置に合わせて任意の形状を採用することができるが、リング形状を採用することで、多くの遊具装置に適用可能返し具を構成することが可能となる。
【０００７】
無端枠体に張り渡される弾性シートの一部をメッシュ１４０で形成する構成を採用してもよい。これにより、遊具装置上部の風通しが良くなり、当該遊具装置上部から、更に上方の景色を視認することが可能となる。
遊具装置上部の外径より広い外径を備えた上記の構成の遊具装置用返し具を当該遊具装置上部に備えた遊具装置を構成することが望ましい。遊具装置上部に上記返し具により天井を形成し、上記遊具装置に登るユーザに、これ以上登ることはできないという心理的抵抗を与えることが可能となる。
【発明の効果】
【０００８】
本発明の遊具装置用返し具は、無端枠体と、連結部材と、弾性シートとを備える。連結部材は無端枠体に掛け渡され、弾性シートが無端枠体に張り渡される。そして、遊具装置用返し具が、連結部材により遊具装置上部に連結されることを特徴とする。上記の構成を採用することにより、上記返し具により天井を形成することができる。そして、遊具装置上部に登るユーザに対し、これ以上登ることはできないという心理的抵抗を与えることができる。
【０００９】
更に、無端枠体周囲に、垂れ幕を垂下することで、ユーザが、遊具装置上部に登ったとしても、垂れ幕によりそれ以上の高さに登ることを防止することができる。すなわち、上部に登ったユーザが垂れ幕に掴まることで、ユーザにこれ以上登ることができないと強く思わせることが可能となる。
【図面の簡単な説明】
【００１０】
【図１】本発明の実施形態に係る遊具用返し具の全体構成を示す概念図である。
【図２】本発明の実施形態に係る遊具用返し具を備えた遊具装置の全体構成を示す概念図である。
【図３】本発明の実施形態に係る遊具用返し具の全体構成を示す概念図である。
【図４】遊具装置本体の全体構成を示す概念図である。
【発明を実施するための形態】
【００１１】
以下に、本発明の遊具装置用返し具１００について図面を参照して説明する。図１は、本発明の遊具装置用返し具１００の全体構成を示す概略模式図であり、図２は本発明の遊具装置用返し具１００を備えた遊具装置２００の概略模式図である。ただし、本発明に直接には関係しない各部の詳細は省略している。
まず、本発明の遊具装置用返し具１００について説明する。上記返し具１００を設ける遊具装置本体２１０には、上部に把持部材２４０（ユーザが掴まることや、起立することが可能な部材をいう。）が備わっている。すなわち、上記把持部材２１０に危険な態様で掴まることや、起立することを防止するために、本発明の返し具１００を当該遊具装置本体２１０に設けることになる。
【００１２】
返し具１００は、枠体１１０に連結部材１２０を取り付けることで構成される。例えば、円形の返し具１００を形成する場合、リング形状の枠体１１０（本発明の無端枠体１１０に相当する。）を形成し、当該枠体１１０に連結部材１２０を連結する。本発明では、上記リング枠体１１０の中心に対して対称となるように、上記連結部材１２０を固定した。上記連結部材１２０により、返し具１００が遊具装置本体２１０に固定されることになる。すなわち、遊具装置本体２１０上部にある部材（上記連結部材１２０に連結可能な形状であればよい。）と、上記連結部材１２０を公知の連結手段により連結することになる。なお、上記返し具１００は円形以外の形状であっても構わない。例えば、矩形状の返し具１００を形成する場合は、上記枠体１１０を矩形状に形成すればよい。
【００１３】
次に、上記のように構成した枠体１１０に弾性シート１３０を張る。まず、枠体１１０及び連結部材１２０を所定の衝撃吸収材で被覆する。この衝撃吸収材は、枠体１１０及び連結部材１２０の外周等にウレタン等の発泡体を被覆する。そして、衝撃吸収材を枠体１１０及び連結部材１２０に被覆した後、当該衝撃吸収材の表面に、ゴム樹脂を塗布することで、衝撃吸収材の表面を撥水加工する。なお、上記衝撃吸収材は、ウレタン以外の組成物であってもよく、ポリエチレン等の発泡体等の衝撃吸収材が好適に用いられる。なお、ゴム樹脂の他に、可撓性の装飾シートで被覆しても構わない。
【００１４】
そして、上記枠体１１０内部の開口に、合成樹脂等の弾性シート１３０を張り渡し、本発明の返し具１００が構成される。なお、上記のように構成した返し具１００には垂れ幕１３５を設けてもよい。例えば、図２（Ｂ）に示すように、上記枠体１１０から垂れ幕１３５を垂下する構成を採用する。なお、弾性シート１３０の一部をメッシュ１４０で形成することで、上記メッシュ１４０から上方の景色を視認することができる。
【００１５】
無端枠体１１０は、一体形成されなくても構わない。例えば、図３に示す遊具装置用返し具１００に示すように、複数の枠体部材１１５を多角形状（本実施例では１２角形状）に連結する構成を採用しても構わない。枠体部材１１５として鉄以外に、プラスチック等の高分子樹脂を用いることで、返し具１００全体の重量を減少させることが可能となる。
次に、上記のように構成した遊具装置用返し具１００を設置する遊具装置本体２１０を説明する。図２（Ｂ）、図４に示すように、本発明の遊具装置本体２１０は、基板２２０に立設した支柱２３０と、当該支柱２３０上方から回転可能に垂下されたアーム２４０を備える。まず、所定の基板２２０を形成し、当該基板２２０中央に、支柱２３０を立設することになる。上記基板２２０に立設される支柱２３０は、後述の駆動モータ設置装置３００を嵌合可能なように、内部が空洞の円筒を用いることが望ましい。
【００１６】
次に、駆動モータ３１０を支柱２３０上部に配置するための駆動モータ設置装置３００を形成する。上記駆動モータ設置装置３００は、上部回転体３２０と下部連結部材３５０とを有する。上部回転体３２０は、駆動モータ３１０を支持する駆動モータ支持部３３０及び、アーム２４０（ユーザが掴まるための部材を称する。以下同じ。）を支持するアーム支持部３４０を備える。そして、上部回転体３２０は、下部連結部材３５０に対して同心軸に支持され、上部回転体３２０が上記同心軸周りに回転可能に支持されている。更に、駆動モータ３１０はその回転軸を下にした状態で上記上部回転体３２０に支持され、駆動モータ３１０の回転軸が回転すると、当該上部回転体３２０が下部連結部材３５０の同心軸周りに回転するように構成されている。例えば固定板３６２上面中心にシャフト３６０を立設し、当該シャフト３６０を上部回転体３２０に形成された貫通孔に回転可能に貫通させる。そして、上記駆動モータ３１０により回転可能なカップリングを上記シャフト３６０に固定することで、当該駆動モータ３１０の回転軸が回転すると、駆動モータ３１０を支持している上部回転体３２０が上記シャフト３６０を軸として回転することになる。なお、上記固定板３６２及び、シャフト３６０が、下部連結部材３５０に相当する。
【００１７】
更に、本実施例では、上記上部回転体３２０にアーム２４０を支持するアーム支持部３４０を備える。例えば、図４（Ａ）、図４（Ｂ）に示すように、円周上に複数の管体（例えばパイプ３４２）を並べ、当該複数のパイプ３４２の内径と同一形状の孔を形成した上下板（２枚の板３４４，３４６で構わない）で当該複数のパイプ３４２を挟むことでアーム支持部３４０を形成する。従って、上記アーム支持部３４０は、上記複数のパイプ３４２の孔が貫通した状態で当該複数のパイプ３４２が上下板３４４，３４６で挟まれた構成である。もちろん、上記アーム支持部３４０の中央は上記シャフト３６０が回転可能に貫通する程度の孔が形成されることになる。
【００１８】
一方、上記アーム支持部３４０に支持されるアーム２４０には、その一方端部から所定距離離れた箇所にフランジが形成される。そして、上記アーム支持部３４０に形成された孔に上記アーム２４０の上記フランジが形成された方の端部を挿入することで、アーム２４０が支持される構成を採用する。
なお、駆動モータ支持部３３０は、図４（Ａ）、図４（Ｂ）に示すように、上記アーム支持部３４０の上面に設けられる。上記のように駆動モータ支持部３３０は、駆動モータ３１０の回転軸を下にした状態で支持可能な構成を採用する。例えば、上記アーム支持部３４０の上面に駆動モータ支持台を形成する。そして、駆動モータ支持台の天板には、駆動モータ３１０の回転軸が貫通可能な孔が形成される。上記アーム支持部３４０上面に上記駆動モータ支持台を配置することで、上部回転体３２０が形成される。そして、上記上部回転体３２０を下部連結部材３５０に回転可能に支持し、駆動モータ３１０の回転軸と上記下部連結部材３５０のシャフト３６０とを例えばカップリングとで連結することで、駆動モータ設置装置３００が形成される。上記の構成であれば、カップリングを介して、上記駆動モータ３１０の回転が上記シャフト３６０に伝えられ、上部回転体３２０が下部連結部材３５０に対して回転する構成となる。
【００１９】
そして、上記のように構成した駆動モータ設置装置３００を上記支柱２３０に取り付けることで、本発明の遊具装置本体２１０が形成される。すなわち、上記支柱２３０上部に上記駆動モータ設置装置３００の下部連結部材３５０を嵌合し、ボルト、ナット等の固定手段で固定することで、図４に示すような、上部に駆動モータ３１０が配置された遊具装置本体２１０が形成される。
【００２０】
上記のように構成した遊具装置本体２１０に本発明の返し具１００が配置される。例えば、上記遊具装置本体２１０のアーム２４０上部に本発明の返し具１００を配置することで、返し具１００を配置した遊具装置２００が構成される。
【産業上の利用可能性】
【００２１】
本発明は、遊具装置用返し具である。そして本発明の遊具装置用返し具は、無端枠体と、連結部材と、弾性シートとを備える。連結部材は無端枠体に掛け渡され、弾性シートが無端枠体に張り渡される。そして、遊具装置用返し具が、連結部材により遊具装置上部に連結されることを特徴とする。上記の構成を採用することにより、上記返し具により天井を形成することができる。そして、遊具装置上部に登るユーザに対し、これ以上登ることはできないという心理的抵抗を与えることができる。簡単な構成でユーザの危険な行為を未然に防止することが可能となるので、その産業上の利用可能性は大きい。
【符号の説明】
【００２２】
１００  返し具
１１０  無端枠体
１２０  連結部材
１３０  弾性シート
１３５  垂れ幕
１４０  メッシュ
２００  遊具装置
２２０  基板
２３０  支柱
２４０  把持部材（アーム）
【図１】
2012100740.tif 000003
【図２】
2012100740.tif 000004
【図３】
2012100740.tif 000005
【図４】
2012100740.tif 000006